(57)【要約】【課題】  中和槽内において細菌類が繁殖するのを防止して、ドレンの排出を長期にわたり良好に行うことが可能となるドレン中和装置を提供する。【解決手段】    加熱用熱交換部２にて発生する酸性のドレンを排出口に向かって排出させるドレン排出路６の途中に、中和剤が装填された中和槽を設けたドレン中和装置において、前記中和槽内に殺菌用の物質を供給する殺菌用物質供給手段１００と、タイミング設定条件にて設定された投入タイミングになると殺菌用物質供給手段１００を作動させる供給制御手段１０１とを設ける。【選択図】        図１
2006272173.tif 000002
【特許請求の範囲】
【請求項１】
加熱用熱交換部にて発生する酸性のドレンを排出口に向かって排出させるドレン排出路の途中に、中和剤が装填された中和槽を設けたドレン中和装置であって、
前記中和槽内に殺菌用の物質を供給する殺菌用物質供給手段と、
タイミング設定条件にて設定された投入タイミングになると前記殺菌用物質供給手段を作動させる供給制御手段とが設けられているドレン中和装置。
【請求項２】
前記タイミング設定条件が、設定インターバル時間が経過する毎に前記投入タイミングとする条件である請求項１記載のドレン中和装置。
【請求項３】
前記タイミング設定条件が、前記加熱用熱交換部を加熱するバーナの積算燃焼量が設定積算燃焼量に達する毎に前記投入タイミングとする条件である請求項１記載のドレン中和装置。
【請求項４】
前記タイミング設定条件が、前記加熱用熱交換部の運転が行われていない非運転状態での経過時間が設定時間に達すると前記投入タイミングとする条件である請求項１〜３のいずれか１項に記載のドレン中和装置。
【請求項５】
前記タイミング設定条件が、夏場においては冬場に比べて投入頻度を多くするように前記投入タイミングを設定する条件である請求項１〜４のうちのいずれか１項に記載のドレン中和装置。
【請求項６】
前記殺菌用物質供給手段が、前記殺菌用の物質としての水道水を供給するように構成されている請求項１〜５のうちのいずれか１項に記載のドレン中和装置。
【請求項７】
前記殺菌用物質供給手段が、前記殺菌用の物質としての高温の湯を供給するように構成されている請求項１〜５の記載のドレン中和装置。
【請求項８】
前記殺菌用物質供給手段が、前記殺菌用の物質としての高温の湯と低温の水とを、先に高温の湯を供給した後に低温の水を供給するように構成されている請求項１〜５の記載のドレン中和装置。
【請求項９】
前記殺菌用物質供給手段が、前記殺菌用の物質としての殺菌用薬剤を供給するように構成されている請求項１〜５の記載のドレン中和装置。
【請求項１０】
前記加熱用熱交換部が、給水路から供給される水道水を加熱して給湯路に供給するように構成され、
前記殺菌用物質供給手段が、
前記給水路と前記中和槽とを接続する分岐給水路と、その分岐給水路を通流状態と遮断状態とに切り換える開閉弁とを備え、且つ、前記開閉弁の開弁操作により前記殺菌用の物質としての水道水を供給するように構成されている請求項６又は８記載のドレン中和装置。
【請求項１１】
前記加熱用熱交換部が、暖房用温水循環路を通して暖房負荷に循環供給される暖房用熱媒としての高温の湯を加熱するように構成され、
前記暖房用温水循環路に外部開放型のタンクが接続される状態で設けられ、
前記殺菌用物質供給手段が、前記タンクと前記中和槽とを接続する温水供給路と、その温水供給路を通流状態と遮断状態とに切り換える開閉弁とを備えて構成され、且つ、前記開閉弁の開弁操作により前記殺菌用の物質としての高温の湯を供給するように構成されている請求項７又は８記載のドレン中和装置。
【請求項１２】
前記殺菌用物質供給手段が、前記殺菌用薬剤を貯留する貯留タンクと、この貯留タンクに貯留される前記殺菌用薬剤を前記中和槽に供給する供給状態と供給を停止する供給停止状態とに切り換え自在な薬剤供給手段とを備えて構成されている請求項９記載のドレン中和装置。
【発明の詳細な説明】
【技術分野】
【０００１】
本発明は、加熱用熱交換部にて発生する酸性のドレンを排出口に向かって排出させるドレン排出路の途中に、中和剤が装填された中和槽を設けたドレン中和装置に関する。
【背景技術】
【０００２】
上記構成のドレン中和装置において、従来では、前記中和槽の内部に、その中和槽の内部にて発生する細菌類等を凝集して分離除去するための凝集分離部を設ける構成としたものがあった。すなわち、中和槽内部に形成されたドレン通路の上流側箇所には中和剤を設けないようにして、そのドレン通路の上流側箇所における下方側には凝集剤が充填される凝集剤充填空間が形成され、この凝集剤充填空間とドレン通路の間にはドレンだけが通過可能な分離壁が設けられて、ドレン通路の上流側箇所をドレンが通過するときに、そのドレンに含まれる細菌類などが凝集剤充填空間にて凝集されて除去されるように構成したものである（例えば、特許文献１参照。）。
【０００３】
【特許文献１】特開２００２−１９２１６５号公報
【発明の開示】
【発明が解決しようとする課題】
【０００４】
しかし、上記従来構成においては、上述したようなドレン通路の上流側箇所をドレンが通過するときに凝集されずに残った細菌類が、中和剤が充填されているドレン通路の下流側箇所にまで流動して、中和剤に付着する状態で滞留してドレン槽の内部において増殖することがある。そして、そこに充填されている中和剤が酸性のドレンを中和させる中和処理を行うことによって経年的に消耗して後に細かな粒子となって残ることがあるが、そのような細かな粒子と共に繁殖した細菌類とが混ざりあってゲル状の物質となり、そのような物質が堆積してドレン経路を早期に詰まらせることがあり、ドレンを排出させることができないものとなるおそれがあった。
【０００５】
本発明の目的は、中和槽内において細菌類が繁殖するのを防止して、ドレンの排出を長期にわたり良好に行うことが可能となるドレン中和装置を提供する点にある。
【課題を解決するための手段】
【０００６】
本発明に係るドレン中和装置は、加熱用熱交換部にて発生する酸性のドレンを排出口に向かって排出させるドレン排出路の途中に、中和剤が装填された中和槽を設けたものであって、その第１特徴構成は、前記中和槽内に殺菌用の物質を供給する殺菌用物質供給手段と、タイミング設定条件にて設定された投入タイミングになると前記殺菌用物質供給手段を作動させる供給制御手段とが設けられている点にある。
【０００７】
第１特徴構成によれば、タイミング設定条件にて設定された投入タイミングになると、中和槽内に殺菌用の物質が供給されることになる。このように設定された投入タイミングになると自動的に中和槽内に殺菌用の物質が供給されることになるから、中和槽内で細菌類が繁殖することを防止することが可能となる。
【０００８】
従って、中和槽内にて細菌類が繁殖してドレンが排出するための経路が早期に詰まることを抑制することができ、ドレンの排出を長期にわたり良好に行うことが可能となるドレン中和装置を提供できるに至った。
【０００９】
本発明の第２特徴構成は、第１特徴構成に加えて、前記タイミング設定条件が、設定インターバル時間が経過する毎に前記投入タイミングとする条件である点にある。
【００１０】
第２特徴構成によれば、設定インターバル時間が経過する毎に、前記投入タイミングとなり、中和槽内に殺菌用の物質が供給されることになる。従って、殺菌用の物質が供給されない状態が長い時間継続する不利がなく、確実に中和槽内に殺菌用の物質を供給することができるから、中和槽内にて細菌類が繁殖することを適切に防止できる。
【００１１】
本発明の第３特徴構成は、第１特徴構成に加えて、前記タイミング設定条件が、前記加熱用熱交換部を加熱するバーナの積算燃焼量が設定積算燃焼量に達する毎に前記投入タイミングとする条件である点にある。
【００１２】
第３特徴構成によれば、前記加熱用熱交換部を加熱するバーナの積算燃焼量が設定積算燃焼量に達する毎に、前記投入タイミングとなり、中和槽内に殺菌用の物質が供給されることになる。ドレンの発生量はバーナの積算燃焼量に対応することになるから、上記構成であれば、ドレンの発生量が設定量に達する毎に中和槽内に殺菌用の物質が供給されることになる。従って、ドレンの実際の発生状況に応じて適切なタイミングで殺菌用の物質を供給することができる。
【００１３】
本発明の第４特徴構成は、第１特徴構成〜第３特徴構成のいずれかに加えて、前記タイミング設定条件が、前記加熱用熱交換部の運転が行われていない非運転状態での経過時間が設定時間に達すると前記投入タイミングとする条件である点にある。
【００１４】
第４特徴構成によれば、前記加熱用熱交換部の運転が行われていない非運転状態での経過時間が設定時間に達すると、前記投入タイミングとなり、中和槽内に殺菌用の物質が供給されることになる。
【００１５】
前記加熱用熱交換部の運転が行われていない非運転状態での経過時間が設定時間に達すると、中和槽内には長い時間にわたって新しいドレンが供給されないので、中和槽内部において流動の無い状態でそのままドレンが滞留することになる。その結果、中和槽内で細菌類が繁殖するおそれが大となる。そこで、前記加熱用熱交換部の運転が行われていない非運転状態での経過時間が設定時間に達すると中和槽内に殺菌用の物質を供給するようにすることで、ドレンが長い時間滞留することに起因して中和槽内で細菌類が繁殖することを回避し易いものにできる。
【００１６】
本発明の第５特徴構成は、第１特徴構成〜第４特徴構成のいずれかに加えて、前記タイミング設定条件が、夏場においては冬場に比べて投入頻度を多くするように前記投入タイミングを設定する条件である点にある。
【００１７】
第５特徴構成によれば、夏場においては外気温度が高く、しかも、湿気が高い場合が多いので、冬場のように外気温度が低くしかも乾燥している時期に比べて、細菌類が繁殖し易い。そこで、前記タイミング設定条件が、夏場においては冬場に比べて投入頻度を多くするように前記投入タイミングを設定する条件とすることで、夏場では、冬場に比べて中和槽内に殺菌用の物質が供給される頻度が大になるので細菌類の繁殖を抑制し易いものにできる。
【００１８】
本発明の第６特徴構成は、第１特徴構成〜第５特徴構成のいずれかに加えて、前記殺菌用物質供給手段が、前記殺菌用の物質としての水道水を供給するように構成されている点にある。
【００１９】
第６特徴構成によれば、前記殺菌用物質供給手段が、殺菌用の物質として中和槽内に水道水を供給するのである。水道水には殺菌作用を有する塩素が含まれているので、その塩素により、中和槽内において細菌類に対する殺菌作用を発揮して細菌類が発生していても、それを殺菌して水道水と共に外部に排出させることができる。従って、細菌類が繁殖することを抑制することが可能となる。
【００２０】
ところで、上記したようなドレンを排出させる場合において、細菌類の発生を抑制するための構成として、中和槽内に中和剤を充填する構成とするのではなく、発生するドレンに対してそのドレン発生量と略同量の水道水をドレン排出路の途中に供給して、水道水により希釈することによってドレンを中和させて排出させるようにすることも考えられるが、このような構成であれば水道水の消費量が多くなるが、上記構成であれば、水道水の消費量はこのような構成に比べて非常に少ないもので済むのである。
【００２１】
具体例で説明すると、一般に、中和剤は給湯装置の寿命も考慮して約１５年間中和処理することが可能なように設けられるが、１５年間で処理するドレン総量の平均的な発生量は本出願人の計測によれば、約１２トンである。上記したようなドレンと略同量の水による希釈を行う方法であれば、１２トンの水道水をドレンと共に排出させることになる。
【００２２】
これに対して、本発明の上記構成では、中和槽の容量を例えば約１リットルとし、1ヶ月に１回の頻度で水道水を中和槽の容量とほぼ同様づつ供給する場合であれば、１５年間で約１８０リットル、１週間に１回の頻度で水道水を中和槽の容量とほぼ同様づつ供給する場合であれば、１５年で７２０リットルであり、上記したようなドレンと略同量の水による希釈を行う方法に比べて水道水の消費量が非常に少ない僅かな量で済むのである。
さらには、第１特徴構成〜第５特徴構成のいずれかの投入タイミングで水道水が投入されるので、適切な投入タイミングとあいまって水道水の消費量が少ないながら効果的に細菌類の繁殖を抑制することが可能となる。
【００２３】
本発明の第７特徴構成は、第１特徴構成〜第５特徴構成に加えて、前記殺菌用物質供給手段が、前記殺菌用の物質としての高温の湯を供給するように構成されている点にある。
【００２４】
第７特徴構成によれば、前記殺菌用物質供給手段が、殺菌用の物質として中和槽内に高温の湯を供給するのである。殺菌用の物質として、中和槽内に高温の湯が供給されることになる。高温の湯は殺菌作用を有するので、高温の湯を用いることで中和槽内において細菌類が繁殖することを抑制することができる。
【００２５】
本発明の第８特徴構成は、第１特徴構成〜第５特徴構成に加えて、前記殺菌用物質供給手段が、前記殺菌用の物質としての高温の湯と低温の水とを、先に高温の湯を供給した後に低温の水を供給するように構成されている点にある。
【００２６】
第８特徴構成によれば、前記殺菌用物質供給手段が、殺菌用の物質として、高温の湯を先に供給した後に低温の水を供給することになる。高温の湯は殺菌作用を有するので、高温の湯を用いることで中和槽内において細菌類の殺菌作用を発揮して繁殖することを抑制することができる。しかし、その高温の湯を供給したままであれば、中和槽の内部が高めの温度が長く続き、細菌類が繁殖するおそれがあるから、高温の湯を供給した後に低温の水を供給するようにしたので、中和槽内部を冷却することにより細菌類の繁殖を抑制することが可能となる。
【００２７】
又、中和剤が消耗された後に残る細かな粒子と共に繁殖した細菌類とが混ざりあってゲル状の物質となっているような場合には、高温の湯を供給することで、ゲル状の物質を軟かくさせて、その軟かい状態の物質を低温の水で流動させながら排出させることも可能である。
【００２８】
本発明の第９特徴構成は、第１特徴構成〜第５特徴構成に加えて、前記殺菌用物質供給手段が、前記殺菌用の物質としての殺菌用薬剤を供給するように構成されている点にある。
【００２９】
第９特徴構成によれば、前記殺菌用物質供給手段が、殺菌用の物質として、殺菌作用を発揮する薬剤が供給されることになる。このように殺菌作用を発揮する専用の薬剤が用いられることで、中和槽内に細菌類が発生することを確実に抑制することができる。
【００３０】
本発明の第１０特徴構成は、第６特徴構成又は第８特徴構成に加えて、前記加熱用熱交換部が、給水路から供給される水道水を加熱して給湯路に供給するように構成され、前記殺菌用物質供給手段が、前記給水路と前記中和槽とを連通するように設けられた分岐給水路と、その分岐給水路を通流状態と遮断状態とに切り換える開閉弁とを備え、且つ、前記開閉弁の開弁操作により前記殺菌用の物質としての水道水を供給するように構成されている点にある。
【００３１】
第１０特徴構成によれば、前記加熱用熱交換部が、給水路から供給される水道水を加熱して給湯路に供給するように構成されており、殺菌用物質供給手段は、加熱用熱交換部に水道水を供給するための給水路と中和槽とを連通するように設けられた分岐給水路と、その分岐給水路を通流状態と遮断状態とに切り換える開閉弁とで構成され、開閉弁の開弁操作することで中和槽に水道水を供給することになる。
【００３２】
すなわち、給湯用の加熱用熱交換部に対して一般的に利用されている給水路から供給される水道水を利用することで、分岐給水路と開閉弁という簡単な構成で殺菌用の物質を供給することができる。
【００３３】
本発明の第１１特徴構成は、第７特徴構成又は第８特徴構成に加えて、前記加熱用熱交換部が、暖房用温水循環路を通して暖房負荷に循環供給される暖房用熱媒としての高温の湯を加熱するように構成され、前記暖房用温水循環路に外部開放型のタンクが接続される状態で設けられ、前記殺菌用物質供給手段が、前記タンクと前記中和槽とを接続する温水供給路と、その温水供給路を通流状態と遮断状態とに切り換える開閉弁とを備えて構成され、且つ、前記開閉弁の開弁操作により前記殺菌用の物質としての高温の湯を供給するように構成されている点にある。
【００３４】
第１１特徴構成によれば、前記加熱用熱交換部が、暖房用温水循環路を通して暖房負荷に循環供給される暖房用熱媒としての高温の湯を加熱するように構成されている。そして、このような暖房用温水循環路には一般的に、高温の温水の膨張を許容するようにしたり、あるいは、外部からの湯水の補給が可能なように外部開放型のタンクが接続されている。そこで、このような高温の湯が貯留されている外部開放型のタンクの構成を利用して、
前記殺菌用物質供給手段が、前記タンクと前記中和槽とを接続する温水供給路と、その温水供給路を通流状態と遮断状態とに切り換える開閉弁とで構成して、開閉弁の開弁操作により殺菌用の物質としての高温の湯を中和槽に供給するようにしているのである。
【００３５】
従って、暖房負荷に供給するために常に高温に維持されている前記タンクに貯留される高温の湯を利用して、温水供給路と開閉弁という簡単な構成によって中和槽に高温の湯を供給することができる。
【００３６】
本発明の第１２特徴構成は、第９特徴構成に加えて、前記殺菌用物質供給手段が、前記薬剤を貯留する貯留タンクと、この貯留タンクに貯留される前記薬剤を前記中和槽に供給する供給状態と供給を停止する供給停止状態とに切り換え自在な薬剤供給手段とを備えて構成されている点にある。
【００３７】
第１２特徴構成によれば、殺菌作用を発揮する専用の薬剤を貯留タンクに貯留しておき、必要なときには薬剤供給手段によって貯留タンクに貯留される薬剤を中和槽に供給することができる。従って、供給制御手段が、薬剤供給手段を供給状態に切り換えるように作動を制御することで、中和槽内に殺菌用の物質としての専用の薬剤を供給することができるのである。
【発明を実施するための最良の形態】
【００３８】
〔第１実施形態〕
以下、本発明に係る第１実施形態を図面に基づいて説明する。
図１に本発明に係るドレン中和装置が設けられた給湯装置を示している。この給湯装置は、供給される水を加熱して給湯栓９ａに給湯する給湯用加熱部Ｋ、この給湯用加熱部Ｋの動作を制御する制御部、この制御部Ｈに動作情報を指令するリモコン操作部Ｒを備えて構成され、ケーシングＴ内に給湯用加熱部Ｋが設けられている。
【００３９】
前記給湯用加熱部Ｋは、バーナケース１内に、ガス燃焼式のバーナ３、上下２段に配置された加熱用熱交換部の一例である熱交換器２などが設けられ、熱交換器２で熱交換された後の燃焼排ガスをバーナケース１の下方に接続された排気路４に排出するように構成されている。そして、バーナ３は、炎の生成方向が下向きに構成され、そのバーナ３に対して燃焼用空気を下向きに供給するためのファン５がバーナケース１の上方に設けられている。
【００４０】
前記熱交換器２は、第１熱交換器２ａと第２熱交換器２ｂとから構成され、第２熱交換器２ｂは、第１熱交換器２ａで熱交換した後の燃焼排ガスの潜熱と供給される水との間で燃焼排ガス中の水分の凝縮を伴う状態で熱交換させる潜熱回収型の熱交換器として構成されている。この潜熱回収型の熱交換器である第２熱交換器２ｂからは酸性の凝縮水であるドレンが生成される。
【００４１】
また、熱交換器２には、例えば家庭用の水道などから水が供給される給水路８、加熱後の湯水を出湯する出湯路９がそれぞれ接続され、前記給水路８には、熱交換器２への通水量を検出する通水量センサ１０、給水路８を通して供給される水の温度を検出する入水温サーミスタ１１が設けられている。そして、出湯路９には、給湯栓９ａから出湯される湯水の温度を検出する出湯温サーミスタ１２が設けられている。
【００４２】
前記バーナ３に対する燃料供給路１３には、燃料供給を断続する断続弁１４と、燃料供給量を変更調節自在なガス量調節弁１５とが備えられ、バーナ３の近くには、バーナ３に対する点火動作を実行するイグナイタ１６と、バーナ３が着火されているか否かを検出するフレームロッド１７とがそれぞれ備えられている。又、前記リモコン操作部Ｒは、詳述はしないが、運転スイッチや出湯用目標温度を変更設定自在する操作具などを備えて構成されている。
【００４３】
前記制御部Ｈは、マイクロコンピュータを備えて構成され、リモコン操作部Ｒの操作指令に基づいて、熱交換器２への通水が開始されるに伴ってバーナ３への点火処理を実行して燃焼を開始して、熱交換器２への通水が停止されるに伴ってバーナ３の燃焼を停止させるように制御するとともに、熱交換器２への通水が検出されているときには、出湯温度が出湯用目標温度になるように調整する燃焼制御処理を実行する構成となっている。
【００４４】
そして、この給湯装置においては、熱交換器２にて発生する酸性のドレンを排出口に向かって排出させるドレン排出路６の途中に、中和剤Ｃが装填された中和槽７を備えたドレン中和装置が設けられている。
このドレン中和装置は、前記中和槽７内に殺菌用の物質を供給する殺菌用物質供給手段１００と、タイミング設定条件にて設定された投入タイミングになると前記殺菌用物質供給手段を作動させる供給制御手段１０１とを備えて構成されており、前記タイミング設定条件が、設定インターバル時間が経過する毎に前記投入タイミングとする条件であり、しかも、設定インターバル時間が経過してなくても前記加熱用熱交換部の運転が行われていない非運転状態での経過時間が設定時間に達すると前記投入タイミングとする条件であり、更には、夏場においては冬場に比べて投入頻度を多くするように前記投入タイミングを設定する条件となっている。
【００４５】
説明を加えると、前記熱交換器２にて発生するドレンをドレンパン１８にて受け止めて回収してドレン排出路６を通して外部に排出するのであるが、そのドレン排出路６の途中に中和槽７が設けられ、その中和槽７にてドレンを中和するように構成されている。中和槽７には中和剤Ｃとして炭酸カルシュウムが充填されている。
【００４６】
図２に示すように、前記中和槽７は、ドレン入口１９から受け入れたドレンを下方側に流動させる下向き経路２０とその下向き経路２０の下部から方向を反転させて上向きの流動するように形成された上向き経路２１とを複数回繰り返してドレンを流動させるように蛇行状のドレン流動経路が構成され、中和槽７内に装填されている中和剤Ｃにてドレンを中和させてドレン出口２２から外方に排出させるように構成されている。
【００４７】
そして、前記殺菌用物質供給手段１００が、給水路８と中和槽７とを接続する分岐給水路２３と、その分岐給水路２３を通流状態と遮断状態とに切り換える電磁操作式の開閉弁２４とを備え、且つ、開閉弁２４の開弁操作により殺菌用の物質としての水道水を供給するように構成されている。
【００４８】
又、供給制御手段１０１は、前記制御部Ｈを利用して構成されている。
前記制御部Ｈにおけるドレン中和装置用の制御動作について具体的に説明すると、図３に示すように、入水温サーミスタ１１にて検出される水温が閾値以上であり外気温度が高い夏場であるときは、短めの設定インターバル時間（例えば、３週間）を設定し、水温が閾値未満であり外気温度が低い冬場であるときは、長めの設定インターバル時間（例えば、５週間）を設定する（ステップ１，２，３）。そして、前回、中和槽７内に水道水を投入してから設定インターバル時間が経過すると、前記開閉弁２４を設定時間だけ開弁させて水道水を中和槽７に投入する（ステップ４，６）。設定インターバル時間が経過していなくても、前記バーナ３が燃焼していない非燃焼状態での経過時間が設定時間（例えば、１週間程度）以上になると、水道水を中和槽７に投入するようにしている（ステップ５）。ちなみに、前記開閉弁２４を開弁操作する時間としては、中和槽７の容積とほぼ同じ量の約１リットル程度の水道水が供給できる程度の時間である。
【００４９】
給水路８から供給される水道水には殺菌作用を有する塩素が含まれているから、このような水道水が中和槽７内に供給されることにより、塩素の殺菌作用によって中和槽７内で細菌が繁殖することを防止することができる。
【００５０】
〔第２実施形態〕
次に、本発明に係る第２実施形態を説明する。
図４にドレン中和装置が設けられた給湯装置を示している。この給湯装置は、一般家庭用の水道管に接続された給水路２５からの水をバーナｇ２によって加熱して、加熱後の湯水を先端に給湯栓２６を備えた給湯路２７に供給する給湯用加熱部Ａと、バーナｇ１により温水を加熱して外部の暖房装置に熱媒として循環供給する温水循環用加熱部Ｂとを備えている。そして、これらの給湯用加熱部Ａ及び温水循環用加熱部Ｂは、夫々、バーナケース２８内に、前記各バーナｇ１，ｇ２、上下２段に配置された加熱用熱交換部の一例である熱交換器２９などが設けられ、熱交換器２９で熱交換された後の燃焼排ガスをバーナケース２８の下方に接続された排気路３０に排出するように構成されている。そして、バーナｇ１，ｇ２は、炎の生成方向が下向きに構成され、燃焼用空気を下向きに供給するためのファン３１が設けられている。
【００５１】
前記熱交換器２９は、第１熱交換器２９ａと第２熱交換器２９ｂとから構成され、第２熱交換器２９ｂは、第１熱交換器２９ａで熱交換した後の燃焼排ガスの潜熱と供給される水との間で燃焼排ガス中の水分の凝縮を伴う状態で熱交換させる潜熱回収型の熱交換器として構成されている。
【００５２】
前記給湯用加熱部Ａ及び温水循環用加熱部Ｂには、各バーナｇ１、ｇ２に一般家庭用の燃料ガスを供給するガス供給路Ｇが接続され、燃料ガス供給量を調整する電磁式のガス量調節弁３２、燃料ガスの供給断続する断続弁３３が設けられている。
【００５３】
前記給湯用加熱部Ａには、給水路２５及び給湯路２７が夫々接続され、給水路２５を通して供給される水道水が熱交換されて所望の温度の湯水が給湯路２７を通して供給されるように構成されている。前記給水路２５には、給水温度を検出する給水サ−ミスタ３４と給水量を検出する水量センサ３５とが設けられ、給水路２５と給湯路２７とがバイパス弁３６を備えたバイパス路３７を介して接続されている。さらに、給湯路２７には、給湯サ−ミスタ３８と出湯サ−ミスタ３９とが設けられている。
【００５４】
前記温水循環用加熱部Ｂは、暖房用温水循環路を通して暖房負荷に循環供給される暖房用熱媒としての高温の湯を加熱するように構成され、前記暖房用温水循環路に外部開放型のタンクが接続される状態で設けられている。すなわち、外部開放型のタンクの一例である膨張タンク５０内の水を前記温水循環用動作部Ｂに供給する温水循環用供給路５１と、前記温水循環用動作部Ｂにて加熱された後の湯を外部暖房装置に供給する温水循環用給湯路５２と、外部暖房装置から戻り湯を膨張タンク５０内に戻す温水循環用戻り路５４とが設けられ、それらによって暖房用温水循環路が構成されている。
【００５５】
前記温水循環用給湯路５２と温水循環用戻り路５４とをバイパス接続するバイパス路５５には、浴槽５内に追焚き用の高温水を供給する為の液々熱交換器にて構成される追焚用熱交換器５６と追焚用の熱動弁５７とが設けられている。前記温水循環用給水路５１には、膨張タンク５０内の水を吸引して温水循環用動作部Ｅに供給するとともに、加熱後の湯を外部暖房装置や追焚用熱交換器５６に供給するための循環ポンプ５８が設けられ、温水循環用給湯路５２には、加熱後の湯の温度を検出する循環温水サーミスタ５９が設けられている。
【００５６】
前記追焚用熱交換器５６にて加熱される追焚き用循環路４０には、追焚用循環ポンプ４１、水流スイッチ４２、水位センサ４３、戻り湯温サーミスタ４４等が備えられ、前記給湯路２７から分岐接続された風呂用の湯張り路４５が、追焚用循環ポンプ４１と水流スイッチ４２との間に接続され、この湯張り路４５には、上流側から湯張り路４５を開閉する湯張り電磁弁４６と、湯張り逆止弁４７と、空気層形成用ホッパ４８とが設けられている。
【００５７】
この給湯装置の運転状態を制御する制御手段としての制御部Ｈ１は、マイクロコンピュ−タを備え、室内に設置されたリモコン操作部Ｒ１との間で通信可能に構成されている。リモコン操作部Ｒ１には、詳述はしないが、運転の開始と停止を指令する運転スイッチや追焚き、自動湯張り、暖房運転等を指令する操作具、目標温度の設定器等が設けられ、運転制御部Ｈ１は、その指令に基づいて給湯、追焚き、暖房運転等の各種の制御を実行するように構成されている。
【００５８】
そして、この給湯装置においても、第１実施形態と同様に、前記各熱交換器２９にて発生する酸性のドレンを排出口に向かって排出させるドレン排出路６の途中に、中和剤が装填された中和槽７を備えたドレン中和装置が設けられ、ドレン中和装置における前記中和槽７内に殺菌用の物質を供給する殺菌用物質供給手段１００は、前記殺菌用の物質としての高温の湯と低温の水とを、先に高温の湯を供給した後に低温の水を供給するように構成されている。
【００５９】
説明を加えると、第１実施形態と同様に、熱交換器２８にて発生するドレンをドレンパン４９にて受け止めて回収して排出するドレン排出路６の途中に中和槽７が設けられている。この中和槽７の構成は図２に示す構成と同じである。
【００６０】
そして、この実施形態においては、図５にも示すように、前記中和槽７内に殺菌用の物質を供給する殺菌用物質供給手段１００が、第１実施形態のときと同様に、給水路２５と中和槽７とを連通するように設けられた分岐給水路６０と、その分岐給水路６０を通流状態と遮断状態とに切り換える電磁操作式の開閉弁６１とを備え、開閉弁６１の開弁操作により殺菌用の物質としての水道水を供給するように構成され、更に、その構成に加えて、前記膨張タンク５０と前記中和槽７とを接続する温水供給路６２と、その温水供給路６２を通流状態と遮断状態とに切り換える電磁操作式の開閉弁６３とを備えて構成され、且つ、前記開閉弁６３の開弁操作により前記殺菌用の物質としての高温の湯を供給するように構成されている。
【００６１】
前記殺菌用物質供給手段１００の作動を制御する供給制御手段１０１は、前記運転制御部Ｈ１を利用して構成されており、殺菌用物質としての湯及び水を中和槽７に投入するタイミングは第１実施形態のときと同じである。すなわち、運転制御部Ｈ１は、前記投入タイミングになると、先に、前記温水供給路６２に設けられた開閉弁６３を設定時間だけ開弁させ、その後、前記分岐給水路６０に設けられた開閉弁６１を設定時間だけ開弁させるように構成されている。
このようにして、前記殺菌用の物質としての高温の湯と低温の水とを、先に高温の湯を供給した後に低温の水を供給するように構成されている。
【００６２】
〔第３実施形態〕
次に、本発明に係る第３実施形態を説明する。
図６に本発明に係るドレン中和装置の第３実施形態を示している。
この実施形態では、前記殺菌用物質供給手段１００が、殺菌用薬剤を貯留する貯留タンクと、この貯留タンクに貯留される殺菌用薬剤を前記中和槽７に供給する供給状態と供給を停止する供給停止状態とに切り換え自在な薬剤供給手段とを備えて構成されている。その他の構成は第１実施形態と同じである。
【００６３】
すなわち、図６に示すように、殺菌用薬剤を水で溶かした薬剤の水溶液を貯留する貯留タンク７０が設けられ、この貯留タンク７０と中和槽７とを接続する接続路７１に殺菌用薬剤を搬送するための搬送用ポンプ７２が設けられ、このポンプ７２を運転状態に切り換えることで、貯留タンク７０に貯留される殺菌用薬剤を中和槽７に供給することができる構成となっている。従って、接続路７１及びポンプ７２により薬剤供給手段が構成されている。
【００６４】
そして、前記殺菌用物質供給手段１００の作動を制御する供給制御手段１０１は、前記制御部Ｈを利用して構成されており、殺菌用物質としての湯及び水を中和槽７に投入するタイミングは第１実施形態のときと同じである。すなわち、第１実施形態のときと同様に、給湯装置全体の運転動作を制御する前記制御部Ｈが、前記投入タイミングになると、前記ポンプ７２を設定時間だけ運転状態に切り換えて、殺菌用薬剤を中和槽７に供給するのである。
【００６５】
〔第４実施形態〕
次に、本発明に係る第４実施形態を説明する。
この実施形態では、前記供給制御手段による制御構成が異なる他の構成は第１実施形態と同様であるから、ここでは、異なる構成についてのみ説明し、同じ構成については説明は省略する。
【００６６】
すなわち、この実施形態では、タイミング設定条件にて設定された投入タイミングになると前記殺菌用物質供給手段を作動させる前記供給制御手段が、前記タイミング設定条件として、前記加熱用熱交換部を加熱するバーナの積算燃焼量が設定積算燃焼量に達する毎に前記投入タイミングとする条件となっている点が第１実施形態と異なる。
【００６７】
具体構成について説明を加えると、供給制御手段を構成する制御部Ｈが、図７に示すような制御を実行する。つまり、入水温サーミスタ１１にて検出される水温が閾値以上であり外気温度が高い夏場であるときは、投入頻度を多くするように設定積算燃焼量（Ｑｓ）として予め設定されている小さめの値を設定し、水温が閾値未満であり外気温度が低い冬場であるときは、投入頻度を少なくするように設定積算燃焼量（Ｑｓ）として予め設定されている大きめの値を設定する（ステップ１１〜１３）。
【００６８】
そして、前記バーナ３の燃焼量（具体的には燃料供給量）の積算値を求めて、その積算燃焼量（Ｑｘ）が前記設定積算燃焼量（Ｑｓ）以上になると、前記開閉弁２４を設定時間だけ開弁させて水道水を中和槽７に投入して、積算燃焼量Ｑｘをリセットする（ステップ１４，１６，１７）。積算燃焼量（Ｑｘ）が前記設定積算燃焼量（Ｑｓ）以上になっていなくても、前記バーナ３が燃焼していない非燃焼状態での経過時間が設定時間（例えば、１週間程度）以上になると、水道水を中和槽７に投入する（ステップ１５）。
【００６９】
尚、この実施形態では、前記殺菌用の物質としての水道水を供給するようにしているが、水道水を供給する構成に代えて、高温の湯を供給する構成、高温の湯を供給した後に低温の水とを供給する構成、あるいは、専用の薬剤を供給する構成としてもよい。
【００７０】
〔別実施形態〕
以下、別実施形態を列記する。
【００７１】
（１）上記各実施形態では、前記加熱用熱交換部の運転が行われていない非運転状態での経過時間が設定時間に達すると前記投入タイミングとするように構成したが、このような構成を用いないようにしてもよい。又、上記各実施形態では、夏場においては冬場に比べて投入頻度を多くするように前記投入タイミングを設定する条件としたが、このような構成を備えずに、夏場であっても冬場であっても同じような投入頻度で中和槽内に殺菌用の物質を供給する構成としてよい。
【００７２】
（２）上記第２実施形態では、前記殺菌用の物質としての高温の湯と低温の水とを、先に高温の湯を供給した後に低温の水を供給するように構成したが、このような構成に代えて、前記殺菌用の物質としての高温の湯だけを供給して低温の水を供給しない構成としてもよい。
【００７３】
（３）上記第２実施形態では、暖房用温水循環路に接続された外部開放型のタンクに貯留される高温の湯を中和槽に供給する構成としたが、このような構成に代えて、給湯用の加熱部にて加熱された給湯用の高温の湯を中和槽に供給するようにしてもよい。
【図面の簡単な説明】
【００７４】
【図１】給湯装置の構成を示す図
【図２】中和槽の断面図
【図３】制御動作のフローチャート
【図４】第２実施形態の給湯装置の構成を示す図
【図５】第２実施形態のドレン中和装置を示す図
【図６】第３実施形態のドレン中和装置を示す図
【図７】第４実施形態の制御動作のフローチャート
【符号の説明】
【００７５】
２、２８      加熱用熱交換部
６            ドレン排出路
７            中和槽
８，２５      給水路
２３，６０    分岐給水路
２４，６１    開閉弁
５０          外部開放型タンク
６２          温水供給路
６３          開閉弁
７０          貯留タンク
７１，７２    薬剤供給手段
１００        殺菌用物質供給手段
１０１        供給制御手段
Ｃ            中和剤
【図１】
2006272173.tif 000003
【図２】
2006272173.tif 000004
【図３】
2006272173.tif 000005
【図４】
2006272173.tif 000006
【図５】
2006272173.tif 000007
【図６】
2006272173.tif 000008
【図７】
2006272173.tif 000009